(57)【要約】【課題】屈曲予定部に切欠を入れたりせずに、低コストで、屈曲部におけるシワの発生を防止する。【解決手段】平坦な底面を有する矩形断面の紐状の弾性シール材料１０Ｍを、複数の屈曲部１０ｃで内側に曲げることにより、閉じた環状のシール部材１０となして、平坦なシール取付面２１に貼り付けたシール部材１０の貼付構造において、シール取付面２１上のシール部材１０の屈曲部１０ｃを貼り付ける箇所に、シール部材１０の屈曲部１０ｃにおける内周と外周の周長差を吸収する凸の湾曲面２２を形成した。この凸の湾曲面２２は、内周側から外周側へ向かって、漸次曲率半径が小さくなって周長が徐々に小さくなる、円錐面の一部を切り取った形状の凸曲面である。【選択図】図１
2008098085.tif 000002
【特許請求の範囲】
【請求項１】
平坦な底面を有する矩形断面の紐状の弾性シール材料を、複数の屈曲部で内側に曲げることにより、閉じた環状のシール部材となして、平坦なシール取付面に貼り付けたシール部材の貼付構造において、
前記シール取付面上の前記シール部材の屈曲部を貼り付ける箇所に、該シール部材の屈曲部における内周と外周の周長差を吸収する湾曲面を形成したことを特徴とするシール部材の貼付構造。
【請求項２】
請求項１に記載のシール部材の貼付構造であって、
前記湾曲面として、前記シール部材の屈曲部を貼り付ける箇所の内周側から外周側に向かって、漸次曲率半径が小さくなって周長が徐々に小さくなる、円錐面の一部を切り取った形状の凸曲面または凹曲面が形成されていることを特徴とするシール部材の貼付構造。
【請求項３】
請求項１または２に記載のシール部材の貼付構造であって、
前記シール材料の底面に非伸縮性の両面接着テープが貼り付けられており、その両面接着テープにより、前記シール部材が前記シール取付面に貼り付けられていることを特徴とするシール部材の貼付構造。
【請求項４】
請求項１〜３のいずれか１項に記載のシール部材の貼付構造であって、
前記シール取付面が、コネクタのフランジ部の前面に形成されており、前記シール取付面に貼り付けられた前記シール部材が、前記コネクタをパネルに取り付けた際に、前記パネルに形成された開口の周縁の壁面に押圧接触させられて前記開口をシールするものであることを特徴とするシール部材の貼付構造。
【発明の詳細な説明】
【技術分野】
【０００１】
本発明は、紐状のシール材料を複数の屈曲部で内側に曲げることにより、閉じた環状のシール部材となして、平坦なシール取付面に貼り付けたシール部材の貼付構造に関するものである。
【背景技術】
【０００２】
図７に、車体パネルＰを挟んで、オスコネクタ１３０とメスコネクタ１４０の嵌合を行う場合の一般的なシール構造を示している。このシール構造では、オスコネクタ１３０のフランジ部１２０の前面に、環状のシール部材１１０を貼り付けておき、オスコネクタ１３０を車体パネルＰに装着することで、シール部材１１０を車体パネルＰの開口Ｐａの周囲の壁面に押圧接触させて、開口Ｐａをシールし、これにより、エンジンルームＥと車室Ｒの間の防水性や防音性を確保している。
【０００３】
このようなシール構造に用いるシール部材１１０は、図８に示すように、スポンジやゴム等の材料よりなる例えば矩形の環状体として構成されており、そのタイプとしては、最初から連続した環状体としてシートからプレスで打ち抜いたものを、フランジ部１２０に貼り付ける場合と、図９に示すように、最初は紐状のシール材料１１０Ｍとして提供され、フランジ部１２０に貼り付ける段階で、紐状のシール材料１１０Ｍを、屈曲部１１０ｃで内側に曲げて環状のシール部材１１０となして、フランジ部１２０に貼り付ける場合とがある。
【０００４】
前者の、最初から連続した環状体としてシートからプレスで打ち抜いたシール部材を使用する場合は、組み付け段階での手間はかからないが、その製作過程において、打ち抜き用の大型の金型設備が必要であったり、材料ロスが多かったりするため、部品コストが高くなるという問題がある。
【０００５】
それに対し、後者の、材料の提供段階は紐状であり、それを曲げて環状のシール部材１１０となす場合は、材料シートを所望の幅にカットするだけで、紐状のシール材料１１０Ｍを用意することができるので、打ち抜き用の大型の金型設備が不要で、材料ロスがなくなるという利点がある。
【０００６】
ところが、実際に組立工程でシール部材１１０をフランジ部１２０に貼り付ける場合は、予め紐状のシール材料１１０Ｍの段階で、スポンジやゴム等のシール部材本体１１１の底面に予め貼り付けておいた非伸縮性の両面接着テープ１１２で、フランジ部１２０に対する貼り付けを行うことが多いので、図１０に示すように、屈曲部１１０ｃの内周側と外周側の周長差により、内周側の底面にシワがより、それが原因で、両面接着テープ１１２による接着品質が悪くなり、防水性や防音性を低下させることがあった。
【０００７】
これを解決する方法として、一般に、非伸縮性の紐状体を屈曲させる場合に、屈曲部の内周側に切欠を設けることで、屈曲部の内周側と外周側の周長差を吸収する構造が知られており（例えば、特許文献１参照）、それをシール部材に利用することができる。
【０００８】
図１１はその例を示している。例えば、（ａ）に示すように、紐状のシール材料１１０Ｍの段階で、屈曲予定部１１０ｃｙの内周側にＶ字状の切欠１１５を入れておく。そうすると、それを屈曲部１１０ｃで曲げた際に、切欠が内周側と外周側の周長差を吸収するので、シワの発生を防ぐことができる。
【特許文献１】特開２００４−６１２６号公報
【発明の開示】
【発明が解決しようとする課題】
【０００９】
しかし、前述の切欠１１５を設けるには、やはり小さいながらもプレス型で打ち抜く必要があるため、余計なコストがかかるという問題がある。
【００１０】
本発明は、上記事情を考慮し、屈曲予定部に切欠を入れたりせずに、低コストで、屈曲部におけるシワの発生を防止することができ、それにより、防水性や防音性の向上を図ることのできる、シール部材の貼付構造を提供することを目的とする。
【課題を解決するための手段】
【００１１】
請求項１の発明は、平坦な底面を有する矩形断面の紐状の弾性シール材料を、複数の屈曲部で内側に曲げることにより、閉じた環状のシール部材となして、平坦なシール取付面に貼り付けたシール部材の貼付構造において、前記シール取付面上の前記シール部材の屈曲部を貼り付ける箇所に、該シール部材の屈曲部における内周と外周の周長差を吸収する湾曲面を形成したことを特徴とする。
【００１２】
請求項２の発明は、請求項１に記載のシール部材の貼付構造であって、前記湾曲面として、前記シール部材の屈曲部を貼り付ける箇所の内周側から外周側に向かって、漸次曲率半径が小さくなって周長が徐々に小さくなる、円錐面の一部を切り取った形状の凸曲面または凹曲面が形成されていることを特徴とする。
【００１３】
請求項３の発明は、請求項１または２に記載のシール部材の貼付構造であって、前記シール材料の底面に非伸縮性の両面接着テープが貼り付けられており、その両面接着テープにより、前記シール部材が前記シール取付面に貼り付けられていることを特徴とする。
【００１４】
請求項４の発明は、請求項１〜３のいずれか１項に記載のシール部材の貼付構造であって、前記シール取付面が、コネクタのフランジ部の前面に形成されており、前記シール取付面に貼り付けられた前記シール部材が、前記コネクタをパネルに取り付けた際に、前記パネルに形成された開口の周縁の壁面に押圧接触させられて前記開口をシールするものであることを特徴とする。
【発明の効果】
【００１５】
請求項１の発明によれば、シール取付面上のシール部材の屈曲部を貼り付ける箇所に、シール部材の屈曲部における内周と外周の周長差を吸収する湾曲面を形成しているので、シール部材の屈曲部の内周側の底面にシワがよるのを防止することができる。従って、隙間のない良好な貼り付けを行うことができ、防水性能や防音性能（音振性能）の低下を防ぐことができる。
【００１６】
また、貼り付けを行う前のシール材料は、単なる紐状体として用意するだけよいので、材料シートを所定の幅で直線カットするだけの簡単な工程で、シール材料を用意することができる。従って、切欠を設けるなどの余計な打ち抜きが全く不要であり、材料ロスもなくなるため、部品コストを安くすることができる。
【００１７】
請求項２の発明によれば、湾曲面として、シール部材の屈曲部を貼り付ける箇所の内周側から外周側に向かって、漸次曲率半径が小さくなって周長が徐々に小さくなる、円錐面の一部を切り取った形状の凸曲面または凹曲面を形成しているので、無理のない滑らかな貼り付けを行うことができる。
【００１８】
請求項３の発明によれば、シール材料の底面に非伸縮性の両面接着テープを貼り付けておき、その両面接着テープによりシール部材をシール取付面に貼り付けるので、非伸縮性の両面接着テープを用いながらも、シワの発生を防いで、シール部材の底面を均一にシール取付面に貼り付けることができる。
【００１９】
請求項４の発明によれば、シワの発生のほとんどないシール部材により、パネルの開口を確実にシールすることができる。従って、エンジンルームと車室を仕切る車両パネルを挟んでオスメス嵌合を行うコネクタのシールとして適用した場合に、エンジンルームと車室との間の防水性や防音性の向上を図ることができる。
【発明を実施するための最良の形態】
【００２０】
以下、本発明の実施形態を図面を参照して説明する。
【００２１】
図１はオスコネクタの前部に装着されるパネルシールユニットの分解斜視図、図２（ａ）は同パネルシールユニットの本体の要部構成の拡大図、図２（ｂ）は図２（ａ）のＡ矢視拡大図、図３は同ユニットにおけるシール部材とシール取付面の要部の拡大斜視図である。
【００２２】
図１に示すように、パネルシールユニット２５は、硬質樹脂の成形体よりなるパネルシールユニット本体２０のフランジ部２０Ａの前面に設けたシール取付面２１に、シール部材１０を貼り付けたものである。シール部材１０は、４つの屈曲部（角部）１０ｃを有した四角い環状体として構成されており、取付対象のシール取付面２１も、それに合わせた四角い環状の平坦面として構成されている。
【００２３】
この場合、シール部材１０は、平坦な底面を有する矩形断面の紐状の弾性シール材料１０Ｍを、４つの屈曲部１０ｃで内側に曲げることにより、閉じた環状体となして、平坦なシール取付面２１に貼り付けられている。
【００２４】
ここで、図２、図３に示すように、シール取付面２１上のシール部材１０の屈曲部１０ｃを貼り付ける箇所（四角いシール取付面２１のコーナー部の）には、シール部材１０の屈曲部１０ｃにおける内周と外周の周長差を吸収するための凸の湾曲面２２が形成されている。この凸の湾曲面２２は、シール部材１０の屈曲部１０ｃを貼り付ける箇所の内周側から外周側に向かって、漸次曲率半径が小さくなって周長が徐々に小さくなる、円錐面の一部を切り取った形状の凸曲面として形成されている。
【００２５】
また、シール部材１０は、図３に示すように、紐状のシール材料１０Ｍの段階で、スポンジやゴム等の矩形断面のシール本体１１の底面に非伸縮性の両面接着テープ１２を貼り付けられたものであり、その両面接着テープ１２によりシール取付面２１に貼り付けられている。
【００２６】
このような構成でシール部材１０を貼り付けた場合、シール取付面２１上のシール部材１０の屈曲部１０ｃを貼り付ける箇所に、シール部材１０の屈曲部１０ｃにおける内周と外周の周長差を吸収する凸の湾曲面２２（円錐面の一部を切り取った形の曲面）を形成してあるので、非伸縮性の両面接着テープ１２を用いながらも、無理のない滑らかな貼り付けを行うことができ、シール部材１０の屈曲部１０ｃの内周側の底面にシワがよるのを防止することができる。従って、隙間のない良好なシール部材１０の貼り付けを行うことができて、防水性能や防音性能（音振性能）の低下を防ぐことができる。
【００２７】
また、貼り付けを行う前のシール材料１０Ｍは、単なる紐状体として用意するだけよいので、材料シートを所定の幅で直線カットするだけの簡単な工程でシール材料１０Ｍを用意することができる。従って、従来のように切欠を設けるなどの余計な打ち抜き工程が全く不要であり、材料ロスもなくなるため、部品コストを安くすることができる。
【００２８】
このように構成したパネルシールユニット２５は、図４に示すように、オスコネクタ３０の前部に装着して使用する。そして、図５に示すように、オスコネクタ３０をエンジンルームＥと車室Ｒを仕切る車体パネルＰに取り付けることにより、車体パネルＰの開口Ｐａの周縁の壁面にシール部材１０が押圧接触させられて、それにより開口Ｐａをシールする。
【００２９】
従って、図６に示すように、オスコネクタ３０とメスコネクタ４０を嵌合した場合に、エンジンルームＥと車室Ｒとの間の防水性や防音性の向上を図ることができる。
【００３０】
なお、上記実施形態では、湾曲面として、凸の湾曲面２２を設けた場合を示したが、同様の形状の凹の湾曲面を形成することもできる。
【図面の簡単な説明】
【００３１】
【図１】本発明の実施形態のシール構造を適用したパネルシールユニットの分解斜視図である。
【図２】（ａ）は同パネルシールユニットの本体の要部構成の拡大図、（ｂ）は（ａ）のＡ矢視拡大図である。
【図３】同パネルシールユニットにおけるシール部材とシール取付面の要部の拡大斜視図である。
【図４】同パネルシールユニットをオスコネクタに装着する前の状態を示す斜視図である。
【図５】同パネルシールユニットを前部に装着したオスコネクタを車体パネルに取り付けた状態を示す側断面図である。
【図６】その上で、オスコネクタとメスコネクタを嵌合した状態を示す側断面図である。
【図７】車体パネルを挟んでオスコネクタとメスコネクタの嵌合を行う場合の一般的なシール構造を示す断面図である。
【図８】従来のシール部材とシール取付面の関係を示す斜視図である。
【図９】従来の紐状のシール材料を内側に曲げてシール部材を作る様子を示す斜視図である。
【図１０】従来の問題点の説明図である。
【図１１】従来の問題点の対策例を示す図である。
【符号の説明】
【００３２】
１０  シール部材
１０Ｍ  シール材料
１０ｃ  屈曲部
１２  両面接着テープ
２０Ａ  フランジ部
２１  シール取付面
２２  凸の湾曲面
３０  オスコネクタ
Ｐ  パネル
Ｐａ  開口
【図１】
2008098085.tif 000003
【図２】
2008098085.tif 000004
【図３】
2008098085.tif 000005
【図４】
2008098085.tif 000006
【図５】
2008098085.tif 000007
【図６】
2008098085.tif 000008
【図７】
2008098085.tif 000009
【図８】
2008098085.tif 000010
【図９】
2008098085.tif 000011
【図１０】
2008098085.tif 000012
【図１１】
2008098085.tif 000013